(57)【要約】【課題】フレームの外側にアール部を形成して、全体として柔らかなイメージで、しかも体が衝突したような場合にも怪我を防止することができる看板用フレームを提供するものである。【解決手段】断面略四角形状をなすパイプ７で左右の側枠２、２と上枠３を形成し、左右の側枠２、２の中間に中桟４を取付けた看板用フレームにおいて、左右の側枠２、２と上枠３の、フレームの外側に位置する前後のコーナーにアール部９を形成すると共に、左右の側枠２、２の上部と上枠３の両端を連結する左右のコーナーを、外側にアール部５を形成したジョイント６で連結し、左右の外枠２、２と上枠３およびジョイント６の、フレーム１の内側に位置する前後面に表示用パネル２１が挿入されるパネル取付用段部１０を額縁状に形成したものである。【選択図】  図１
0003132881.tif 000002
【実用新案登録請求の範囲】
【請求項１】
断面略四角形状をなすパイプで左右の側枠と上枠を形成し、左右の側枠の中間に中桟を取付けた看板用フレームにおいて、左右の側枠と上枠のフレームの外側に位置する前後のコーナーにアール部を形成すると共に、左右の側枠上部と上枠の両端を連結する左右のコーナーを、外側にアール部を形成したジョイントで連結し、左右の外枠と上枠、およびジョイントの、フレームの内側に位置する前後面に表示用パネルが挿入されるパネル取付用段部を設けて額縁状に形成したことを特徴とする看板用フレーム。
【請求項２】
左右の外枠の内側に、フレーム固定用のワイヤーを通すワイヤー通し金具を設けたことを特徴とする請求項１記載の看板用フレーム。
【考案の詳細な説明】
【技術分野】
【０００１】
本考案は、看板用フレームに関するものである。
【背景技術】
【０００２】
従来の広告用や道路工事用の立て看板に用いる看板用フレームは、角パイプで形成された、左右の側枠を縦方向に設けて、この上部に角パイプで形成された上枠を水平に設け、この下方の左右の外枠の間に角パイプで形成された下枠を取付けて構成されていた（特許文献１）。
【０００３】
しかしながら角パイプを組み合わせて構成された従来の看板用フレームは、コーナーがエッジになっているので、外観上も硬いイメージを与える上、万一このエッジに体が衝突したような場合に怪我をする危険性があった。
【特許文献１】特開２００４−１９１５７８
【考案の開示】
【考案が解決しようとする課題】
【０００４】
本考案は上記問題を改善し、フレームの外側にアール部を形成して、全体として柔らかなイメージで、しかも体が衝突したような場合にも怪我を防止することができ、表示用パネルを確実に保持できる看板用フレームを提供するものである。
【課題を解決するための手段】
【０００５】
本考案に係る請求項１記載の看板用フレームによれば、断面略四角形状をなすパイプで左右の側枠と上枠を形成し、左右の側枠の中間に中桟を取付けた看板用フレームにおいて、左右の側枠と上枠のフレームの外側に位置する前後のコーナーにアール部を形成すると共に、左右の側枠上部と上枠の両端を連結する左右のコーナーを、外側にアール部を形成したジョイントで連結し、左右の外枠と上枠、およびジョイントの、フレームの内側に位置する前後面に表示用パネルが挿入されるパネル取付用段部を設けて額縁状に形成したことを特徴とするものである。
【０００６】
また請求項２記載の看板用フレームによれば、請求項１において、左右の外枠の内側に、フレーム固定用のワイヤーを通すワイヤー通し金具を設けたことを特徴とするものである。
【考案の効果】
【０００７】
本考案に係る請求項１記載の看板用フレームによれば、外側に位置する前後のコーナーにアール部が形成されていると共に、ジョイントの外側にもアール部が形成されているので、全体として丸みを帯びた柔らかなイメージで、体が衝突しても怪我を防止することができ、また看板用フレームの前面に形成した額縁状のパネル取付用段部に、表示用パネルを挿入して保持するので、表示用パネルを確実に固定することができる。                            
【０００８】
また請求項２記載の看板用フレームによれば、左右の側枠の内側に取付けたワイヤー通し金具にワイヤーを通して電柱や立木などに結びつけることにより、看板用フレームを固定して風邪で倒れるのを防止することができる。
【考案を実施するための最良の形態】
【０００９】
以下本考案の実施の一形態を図１ないし図４を参照して詳細に説明する。図１および図２において、１は看板用フレームで、これは左右の側枠２、２と上枠３および左右の側枠２、２の中間に中桟４を水平に取付け、左右の側枠２、２の上部と上枠３の両端とを、外側にアール部５を形成したジョイント６で連結して構成されている。
【００１０】
左右の側枠２、２と上枠３は、図３に示すように断面略四角形状をなすパイプ７で形成され、フレーム１の外側に位置する前後のコーナーにアール部９、９が形成されていると共に、この横の前後面にパネル取付用段部１０、１０が形成されている。更にこの前後のパネル取付用段部１０、１０の間の内側側面には、金具取付溝１１が形成されている。
【００１１】
また前記ジョイント６は、プラスチックで成型され、立方体状のブロック１３のコーナーの外側にアール部５が形成され、ブロック１３の底面と片側の側面に、断面形状が前記側枠２と上枠３と相似形で、高さと幅がやや小さく、側枠２と上枠３の開口端部１４から挿着される突出部１５、１５がそれぞれ形成されている。更にこの突出部１５には抜け止め突起１６が形成されている。またブロック１３の外側に位置する前後のコーナーにアール部９、９が形成されていると共に、ブロック１３の前後面にパネル取付用段部１０が形成されている。
【００１２】
また前記中桟４は、断面略四角形状をなすパイプ７で形成され、その上下両面に金具取付溝１１が形成されている。１８はＬ字形の接続金具で、左右の側枠２、２と中桟４との間に取付けて、その直交する金具取付溝１１、１１に挿入して、ビス１９で連結するようになっている。また図１において２０は左右の側枠２、２お下端の開口端部１４に嵌入して取付けたキャップである。
【００１３】
上記構成の看板用フレーム１は、その前面に形成した額縁状のパネル取付用段部１０に、図４に示すように表示用パネル２１を、両面テープやビスなどで固定して組み立てる。この看板用フレーム１は、左右の側枠２、２と上枠３およびジョイント６の、フレーム外側に位置する前後のコーナーにアール部９が形成されていると共に、ジョイント６のコーナーの外側にもアール部５が形成されているので、全体として丸みを帯びた柔らかなイメージで、体が衝突しても怪我を防止することができる。また看板用フレーム１の前面に形成した額縁状のパネル取付用段部１０に、表示用パネル２１を挿入して取付けるので、表示用パネル２１を確実に固定することができる。
【００１４】
また看板用フレーム１の背面にも額縁状のパネル取付用段部１０が形成されているので、ここにも表示用パネル２１を取り付けて両面を使用することもできる。
【００１５】
図５は本考案の他の実施の形態を示すもので、看板用フレーム１の左右の側枠２、２の内側にワイヤー通し金具２２、２２を取付けたものである。この看板用フレーム１は、前面のパネル取付用段部１０に表示用パネル２１を取付けて、電柱や立木などに固定する場合に、背面側からワイヤー通し金具２２にワイヤーを通して電柱や立木などに結びつけることにより、看板用フレーム１を固定して風で倒れるのを防止することができる。
【００１６】
なお上記説明では、左右の側枠２、２と上枠３を組み合せて、ジョイント６で連結した立看板用のフレームについて説明したが、左右の側枠２、２と上枠３に下枠を組み合せて四角枠状に形成し、壁面などに取付けるようにした構造にも適用することができる。
【図面の簡単な説明】
【００１７】
【図１】本考案の実施の一形態による看板用フレームの斜視図である。
【図２】図１の看板用フレームを示す正面図である。
【図３】図１の看板用フレームの構成を分解して示す斜視図である。
【図４】図１の看板用フレームに表示用パネルを取付けた正面図である。
【図５】本考案の異なる他の実施の形態によるワイヤー通し金具を取付けた看板用フレームの背面図である。
【符号の説明】
【００１８】
１    看板用フレーム      
２    側枠                                                  
３    上枠                                                  
４    中桟                                                  
５    アール部                                              
６    ジョイント                                            
７    パイプ                                                
９    アール部                                              
１０  パネル取付用段部                                      
１１  金具取付溝                                            
１３  ブロック                                              
１４  開口端部                                              
１５  突出部                                                
１６  抜け止め突起                                          
１８  接続金具                                              
１９  ビス                                                  
２０  キャップ                                              
２１  表示用パネル                                          
２２  ワイヤー通し金具                                      
【図１】
0003132881.tif 000003
【図２】
0003132881.tif 000004
【図３】
0003132881.tif 000005
【図４】
0003132881.tif 000006
【図５】
0003132881.tif 000007